(57)【要約】      （修正有）【課題】  ブラインド専用の清掃具において、清掃体を羽根板上にスライドさせて埃等を集めた後に、集めた埃を適切に回収できるようにすることを課題とする。【解決手段】  ブラインド清掃具Ｘにおいて、ブラインドの羽根板の上面又は下面に当接し羽根板の長手方向に沿って移動することでブラインド表面を拭き取る部材３０，４０であって、移動方向に向って羽根板から離れる傾斜部を有し、当該傾斜部を羽根板表面に向って閉じることができる拭取部材を設ける。【選択図】  図３
2008023208.tif 000002
【特許請求の範囲】
【請求項１】
ブラインドの羽根板の上面又は下面に当接し羽根板の長手方向に沿って移動することでゴミを拭き取る部材であって、移動方向に向って羽根板から離れる傾斜部を有し、当該傾斜部を羽根板表面に向って閉じることができる拭取部材を有する
ブラインド清掃具。
【請求項２】
前記拭取り部材に、前記移動方向に関して、前記拭取部材の前記傾斜部の逆側に前記羽根板表面の幅方向に渡って表面に当接する防水性の材料からなる側方堰き止め部材が設けられる
請求項１に記載のブラインド清掃具。
【請求項３】
前記拭取部材は、ブラインドの羽根板の長手方向に対して垂直かつブラインドの羽根板面にほぼ平行な回動軸を回動することで、前記傾斜部を前記羽根板の長手方向に沿う両方向に形成でき、前記両方向に形成される傾斜面のそれぞれを羽根板面に向って閉じることができる
請求項１又は２に記載のブラインド清掃具。
【請求項４】
前記拭取部材は、前記羽根板の表面に平行かつ長手方向に垂直な方向に沿って形成されるものであって、当該方向の一方側に他方側に移動することで前記羽根板の表面に前記拭取部材以上の幅をもって当接する防水性の材料からなる前方堰き止め部材が設けられる請求項１から３のいずれか１項に記載のブラインド清掃具。
【請求項５】
前記拭取部材が、ブラインドの羽根板を狭持するように羽根板の上面および下面の両方に設けられる請求項１から４のいずれか１項に記載のブラインド清掃具。
【発明の詳細な説明】
【技術分野】
【０００１】
本発明はブラインドを清掃するための器具に関する。
【背景技術】
【０００２】
ブラインドは、複数の羽根板が並列に配されているために、清掃に際しては狭い隙間で作業するする必要があり雑巾などの通常の清掃用具では作業効率が悪い。このような問題に鑑みて、下記特許文献１、２にブラインド専用の清掃具として、ブラインドの羽根板の隙間に入る程度のスポンジ等の清掃体によりブラインドの羽根板を狭持しながら羽根板の長手方向にスライドさせることで清掃するものが示されている。
【特許文献１】特開平９−１３１２８３号公報
【特許文献２】実開昭５２−１６３９５９号公報。
【発明の開示】
【発明が解決しようとする課題】
【０００３】
ところで、ブラインドの羽根板の汚れは、主に表面に堆積する埃や汚れであり、上記特許文献１、２に記載の発明のように、清掃体で狭持して長手方向にスライドさせると埃等は清掃体の進行方向側に集められることとなるが、この集められた埃は清掃体の側面側に溜まるだけで、清掃体をブラインドの手前側に引き抜いても、溜まった埃等は残ってしまうこととなる。
本発明は、このような問題に鑑みて、ブラインド専用の清掃具において、清掃体を羽根板上にスライドさせて埃等を集めた後に、集めた埃を適切に回収できるようにすることを課題とする。
【課題を解決するための手段】
【０００４】
上記課題を解決するために、本発明は次のような構成を有する。
請求項１に記載の発明は、ブラインドの羽根板の上面又は下面に当接し羽根板の長手方向に沿って移動することでブラインド表面を拭き取る部材であって、移動方向に向って羽根板から離れる傾斜部を有し、当該傾斜部を羽根板表面に向って閉じることができる拭取部材を有するブラインド清掃具である。
請求項２に記載の発明は、前記ブラインド清掃具において、前記拭取部材に、前記移動方向に関して、前記拭取部材の前記傾斜部の逆側に前記羽根板表面の幅方向に渡って表面に当接する防水性の材料からなる側方堰き止め部材が設けられるものである。
請求項３に記載の発明は、前記ブラインド清掃具において、前記拭取部材が、ブラインドの羽根板の長手方向に対して垂直かつブラインドの羽根板面にほぼ平行な回動軸により回動することで、前記傾斜部を前記羽根板の長手方向に沿う両方向に形成でき、前記両方向に形成される傾斜面のそれぞれを羽根板面に向って閉じることができるものである。なお、羽根板に平行とは、羽根板の両側縁を含む平面に平行であることを意味するものとする。
請求項４に記載の発明は、前記ブラインド清掃具において、前記拭取部材は、前記羽根板の表面に平行かつ長手方向に垂直な方向に沿って形成されるものであって、当該方向の一方側に他方側に移動することで前記羽根板の表面に前記拭取部材以上の幅をもって当接する防水性の材料からなる前方堰き止め部材が設けられるものである。
請求項５に記載の発明は、前記ブラインド清掃具において、前記拭取部材が、ブラインドの羽根板を狭持するように羽根板の上面および下面の両方に設けられるものである。
【発明の効果】
【０００５】
請求項１に記載の発明は、拭取部材がブラインドの羽根板表面を拭取ると埃や汚れが傾斜部とブラインド表面との間に堆積する。その後、傾斜部を羽根板表面に向って閉じることで、堆積した埃等がブラインド表面と傾斜部との間に挟み込まれるので、このまま、拭取部材を羽根板面に当接させながら取り去ることで埃等を回収することができる。
請求項２に記載の発明は、防水性の側方堰き止め部材が設けられることで、洗浄液などの水分が羽根板表面にあっても、堰き止め部材により拭取り方向に押し出して拭取ることができる。
請求項３に記載の発明は、前記傾斜部が羽根板の長手方向に沿った両方向に形成できるので、羽根板をいずれの方向にも拭取ることができる。
請求項４に記載の発明は、拭取部材を羽根板から長手方向に垂直な方向に抜き取る際に、拭取部材と羽根板との狭持からもれた埃や水分等を前方堰き止め部材により取り去ることができる。
請求項５に記載の発明は、上下両面に拭取部材が形成されることで羽根板の両面を同時に清掃することができる。
【発明を実施するための最良の形態】
【０００６】
以下、本発明の実施の形態について、図面を参照しながら説明する。
図１に本実施形態に係るブラインド清掃具Ｘを示し、図２に図１のＡ−Ａ断面図を、図３に図１のＢ−Ｂ断面図を示す。ブラインド清掃具Ｘは、上フレーム１０、下フレーム２０、上部拭取部材３０、下部拭取部材４０、前方堰き止め部材５０とから構成される。
上フレーム１０は下方が開放された扁平な箱状体であって、後部に斜め下方に延びる中空の箱状体からなるレバー１１が連結している。また、上フレーム１０の上面には後方が回動自在に固定され、かつ、ほぼ垂直状態と水平状態で固定できる長方形の板体からなる上部ガード１２が設けられている。さらに、上フレーム１０の内部下面には、上部拭取部材３０を軸支する回動軸を保持する板状の張り出し部１５、１６が設けられている。
下フレーム２０は上方が開放された扁平な箱状体であって、後部に前記レバー１１より大きな角度で斜め下方に延びる中空の箱状体からなる持ち手２１が連結している。また、下フレーム２０の下面には後方が回動自在に固定され、かつ、ほぼ垂直状態と水平状態で固定できる長方形の板体からなる下部ガード２２が設けられている。さらに、下フレーム２０の内部上面には、下部拭取部材４０を軸支する回動軸を保持する板状の張り出し部２５、２６が設けられている。
【０００７】
上フレーム１０と下フレーム２０とは、持ち手２１の先端側上部とレバー１１の先端側下部において回転軸１３により回動自在に固定されている。また、回転軸１３にはねじりバネ１４が設けられており、これが持ち手２１とレバー１１とを離す方向、即ち、上フレーム１０の扁平な箱状体部分と下フレーム２０の扁平な箱状態部分とを近づけるように付勢している。このねじりバネ１４の付勢と、後述する上部拭取部材３０と下部拭取部材４０とのかみ合わせ及び後述する前方堰き止め部材５０によって、上フレーム１０と下フレーム２０とはほぼ水平な状態に保持される。そして、レバー１１を持ち手２１に近づけると、上フレーム１０の扁平な箱状体部分と下フレーム２０の扁平な箱状態部分とは、互いに前方に向って離れるように開くこととなる。
【０００８】
上部拭取部材３０は、下面が開放した扁平な箱状体からなる上台座部３２と、上台座部３２から下垂するように固定されるゴム板部３１とから構成される。ゴム板部３１は、複数のゴム板を互いの表面と裏面が接触するように左右に配列したものであり、真ん中のゴム板から左右に長さが短くなるように形成することで、正面から見て下に向う左右対称な凸状となる。また、各ゴム板の先端部は側面から見ると、ブラインドの羽根板のカーブに沿うようなカーブが形成されている。ゴム板部３１を構成するゴム板のうち、両側部に設けられるものは、上部側方堰き止め部材３１ａを構成する。また、上台座部３２の後端には円形の歯車の上半分を取り去った半円状の上歯車３３が固定されている。そして、この上歯車３３を含む上台座部３２は、上フレーム１０の内部下面に形成される張り出し部１５、１６間に固定される回動軸３４により、回動自在に保持される。なお、上台座部３２は、上フレーム１０内で回動できる程度の大きさ及び形状を有するものとする。そして、前記上歯車３３の上部には、レバープレート３５が固定されており、このレバープレート３５が上フレームの上部に形成される孔から表出することで、外部から上歯車３２を回動させることができる。即ち、上歯車３２と一体に形成されている上部拭取部材３０全体を外部からの操作により回動させることができる。
【０００９】
下部拭取部材４０は上面が開放した扁平な箱状体からなる下台座部４２と、下台座部４２の上方に固定されるスポンジ部４１とスポンジ部４１の両側面にスポンジ部４１を挟むように設けられる下部側方堰き止め部材４５から構成される。スポンジ部４１と下部側方堰き止め部材４５は全体として正面から見て上に向う左右対称な凸状であり、側面から見るとブラインドの羽根板のカーブに沿うようなカーブが形成されている。スポンジ部４１は、発泡合成樹脂からなるスポンジにより形成され、下部側方堰き止め部材４５はゴム板により形成される。下台座部３２の後端には前記上歯車３３に噛み合う、上歯車３３と上下対称な形状を有する下歯車４３が固定されている。そして、この下歯車４３を含む下台座部４２は、下フレーム２０の内部上面に形成される張り出し部２５、２６間に固定される回動軸４４により、回動自在に保持される。なお、下台座部３２は、下フレーム２０内で回動できる大きさ及び形状を有するものとする。下歯車４３と上歯車３３が噛み合うことで、上歯車３３と一体に形成されるレバープレート３５を操作して上歯車３２を回動させると、これに噛み合う下歯車４３も回動することとなり、上部拭取部材３０と共に下拭取部材４０も外部からの操作により回動させることができる。
【００１０】
前方堰き止め部材５０は、上部前方堰き止め部材５１と、下部前方堰き止め部材５２とから構成される。上部前方堰き止め部材５１は、ゴムにより形成されるU字状の板状部材であって、上フレーム１０の内側先端に下垂するように固定されている。下部前方堰き止め部材５２も、やはり、ゴムにより形成されるU字状の板状部材であって、下フレーム２０の内側先端に上方に向って固定されている。上部前方堰き止め部材５１と下部前方堰き止め部材５２とは先端が互いに接触するようになっており、この状態において、上フレーム１０と下フレーム２０の箱状体部分はほぼ水平に保持される。
【００１１】
次に、以上のような構造を有するブラインド清掃具Ｘの使用方法について説明する。まず、使用者は、霧吹きなどでブラインドの羽根板に洗浄液をかけ、次に、ブラインド清掃具Ｘのレバー１１を持ち手２１側に押して、上フレーム１０と下フレーム２０とを開き、この状態で一枚の羽根板の端を挟む。なお、必要に応じて上部ガード１２及び下部ガード２２を立てて垂直状態とする。これにより、作業者の手がブラインドの羽根板で怪我をすることを防ぐことができる。
図４（ａ）に羽根板Ｂを挟んだ状態を表す横断面図を示す。この状態から、レバープレート３５を操作して、上歯車３３とこれに連動する下歯車４３を回動させ上部拭取部材３０および下部拭取部材４０を拭取る方向に向って羽根板Ｂから離れるように傾斜させる。図４（ｂ）に上部拭取部材３０および下部拭取部材４０を傾けた状態を表す横断面図を示す。この状態において、上部拭取部材３０および下部拭取部材４０のいずれにも拭取る方向に向って羽根板Ｂから離れる傾斜部が形成されている。また、上部拭取り部材３０のゴム板部３１の前記傾斜部とは反対側に位置する上部側方堰き止め部材３１ａを構成するゴム板の先端面はほぼブラインドの羽根板表面の幅方向に渡って当接するように形成されている。同様に、下部拭取部材４０の前記傾斜部とは反対側に位置する下部側方堰き止め部材４５を構成するゴム板の先端面もほぼブラインドの羽根板表面の幅方向に渡って当接するように形成されている。
【００１２】
この状態で、羽根板Ｂの長手方向にブラインド清掃具Ｘをスライドさせていくと、羽根板表面の埃や汚れが、上部拭取部材３０のゴム板部３１および下部拭取部材４０のスポンジ部４１によって拭取られていく。また、上部側方堰き止め部材３１ａ及び下部側方堰き止め部材４５によって、羽根板Ｂ表面は幅方向に堰き止められるので、洗浄液等の水分もこれらの上部側方堰き止め部材３１ａ及び下部側方堰き止め部材４５によってすべて拭取られる。ブラインド清掃具Ｘを羽根板Ｂのほぼ端部にまでスライドさせたら、レバープレート３５を操作して、上部拭取部３０及び下部拭取部材４０を回動させてもとの位置に戻す。これにより、上部拭取部材３０及び下部拭取部４０は、やや拭取り方向に進行し上下に形成された傾斜部は羽根板に向って閉じ、集めた埃や汚れを挟み込むこととなる。そして、上フレーム１０および下フレーム２０を閉じたままブラインド清掃具Ｘを手前に引き抜く。これにより、上部拭取部材３０及び下部拭取部材４０に挟まれた埃や汚れも移動し、さらに、前方堰き止め部材５０が、羽根板５０に当接しながら羽根板Ｂ表面の埃や汚れ及び洗浄液を拭取っていくことになる。以上のような動作によって、羽根板の埃等と洗浄液をほぼ拭取ることができる。なお、拭取った埃等と洗浄液は、下フレーム内に溜まることとなるが、これは、適宜洗浄すればよい。また、ここでは、一方向にスライドさせて羽根板を拭取る場合を示したが、上部拭取部材３０及び下部拭取部材４０を逆方向に傾斜させれば羽根板を逆方向にも同様に拭取ることができる。
【図面の簡単な説明】
【００１３】
【図１】実施形態に係るブラインド清掃具を示す斜視図である。
【図２】図１のＡ−Ａ断面図である。
【図３】図２のＢ−Ｂ断面図である。
【図４】（ａ）はブラインド清掃具により羽根板を狭持した状態を示す横断面図であり、（ｂ）はさらに、拭取部材を傾斜させた状態を示す横断面図である。
【符号の説明】
【００１４】
X    ブラインド清掃具
１０    上フレーム
２０    下フレーム
３０    上部拭取部材
３１ａ  上部側方堰き止め部材
４０    下部拭取部材
４５    下部側方堰き止め部材
５０    前方堰き止め部材
【図１】
2008023208.tif 000003
【図２】
2008023208.tif 000004
【図３】
2008023208.tif 000005
【図４】
2008023208.tif 000006
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
ブラインドの羽根板の上面又は下面に当接し羽根板の長手方向に沿って移動することでゴミを拭き取る部材であって、移動方向に向って羽根板から離れる傾斜部を有し、当該傾斜部を羽根板表面に向って閉じることができる拭取部材と、
前記移動方向に関して、前記拭取部材の前記傾斜部の逆側に前記羽根板表面の幅方向に渡って表面に当接する防水性の材料からなる側方堰き止め部材とを有する
ブラインド清掃具。
【請求項２】
ブラインドの羽根板の上面又は下面に当接し羽根板の長手方向に沿って移動することでゴミを拭き取る部材であって、移動方向に向って羽根板から離れる傾斜部を有し、当該傾斜部を羽根板表面に向って閉じることができる拭取部材と、
前記拭取り部材の、当接時における前記羽根板の表面に平行かつ長手方向に垂直な方向の先端側に設けられる、基端側に抜き取ると前記羽根板の長手方向において前記羽根板の表面に前記拭取部材の幅以上の幅をもって当接する防水性の材料からなる前方堰き止め部材とを有する
ブラインド清掃具。
【請求項３】
前記拭取部材は、ブラインドの羽根板の長手方向に対して垂直かつブラインドの羽根板面にほぼ平行な回動軸を回動することで、前記傾斜部を前記羽根板の長手方向に沿う両方向に形成でき、前記両方向に形成される傾斜面のそれぞれを羽根板面に向って閉じることができる
請求項１又は２に記載のブラインド清掃具。
【請求項４】
前記拭取部材が、ブラインドの羽根板を狭持するように羽根板の上面および下面の両方に設けられる請求項１から３のいずれか１項に記載のブラインド清掃具。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、ブラインドの羽根板の上面又は下面に当接し羽根板の長手方向に沿って移動することでブラインド表面を拭き取る部材であって、移動方向に向って羽根板から離れる傾斜部を有し、当該傾斜部を羽根板表面に向って閉じることができる拭取部材と、前記移動方向に関して、前記拭取部材の前記傾斜部の逆側に前記羽根板表面の幅方向に渡って表面に当接する防水性の材料からなる側方堰き止め部材とを有するブラインド清掃具である。
請求項２に記載の発明は、ブラインドの羽根板の上面又は下面に当接し羽根板の長手方向に沿って移動することでゴミを拭き取る部材であって、移動方向に向って羽根板から離れる傾斜部を有し、当該傾斜部を羽根板表面に向って閉じることができる拭取部材と、前記拭取り部材の、当接時における前記羽根板の表面に平行かつ長手方向に垂直な方向の先端側に設けられる、基端側に抜き取ると前記羽根板の長手方向において前記羽根板の表面に前記拭取部材の幅以上の幅をもって当接する防水性の材料からなる前方堰き止め部材とを有するブラインド清掃具である。
請求項３に記載の発明は、前記ブラインド清掃具において、前記拭取部材が、ブラインドの羽根板の長手方向に対して垂直かつブラインドの羽根板面にほぼ平行な回動軸により回動することで、前記傾斜部を前記羽根板の長手方向に沿う両方向に形成でき、前記両方向に形成される傾斜面のそれぞれを羽根板面に向って閉じることができるものである。なお、羽根板に平行とは、羽根板の両側縁を含む平面に平行であることを意味するものとする。
請求項４に記載の発明は、前記ブラインド清掃具において、前記拭取部材が、ブラインドの羽根板を狭持するように羽根板の上面および下面の両方に設けられるものである。
【手続補正３】
【補正対象書類名】明細書
【補正対象項目名】０００５
【補正方法】変更
【補正の内容】
【０００５】
請求項１に記載の発明は、拭取部材がブラインドの羽根板表面を拭取ると埃や汚れが傾斜部とブラインド表面との間に堆積する。その後、傾斜部を羽根板表面に向って閉じることで、堆積した埃等がブラインド表面と傾斜部との間に挟み込まれるので、このまま、拭取部材を羽根板面に当接させながら取り去ることで埃等を回収することができる。さらに、防水性の側方堰き止め部材が設けられることで、洗浄液などの水分が羽根板表面にあっても、堰き止め部材により拭取り方向に押し出して拭取ることができる。
請求項２に記載の発明は、やはり、傾斜部とブラインド表面のとの間に堆積した埃や汚れが、傾斜部を羽根板表面に向って閉じることで挟み込まれ、このまま、拭取部材を羽根板面に当接させながら取り去ることで埃等を回収することができ、さらに、拭取部材を羽根板から長手方向に垂直な方向に抜き取る際に、拭取部材と羽根板との狭持からもれた埃や水分等を前方堰き止め部材により取り去ることができる。
請求項３に記載の発明は、前記傾斜部が羽根板の長手方向に沿った両方向に形成できるので、羽根板をいずれの方向にも拭取ることができる。
請求項４に記載の発明は、上下両面に拭取部材が形成されることで羽根板の両面を同時に清掃することができる。